(57)【要約】【課題】手間がかからずに位置調節ができ且つがたつきを防止できる支柱装置及び商品陳列台を提供すること。【解決手段】本発明の支柱装置２０において、下支柱１５には一側面に係合孔２１が、他側面に係止孔２２が形成されており、上支柱１７は一側面に上下方向に間隔をあけて複数の位置調節孔２３が形成されており、連結具１９は下支柱の外面に装着するブラケット２９と、ブラケット２９を下支柱１５に止める係止部材２７とを有し、ブラケット２９は下支柱１５の係合孔２１及び上支柱１７の位置調節孔２３に挿通して上支柱１７を受ける嵌合突部２５を有しており、嵌合突部２５は先端側が上方に向けて傾斜する傾斜部３５を有し、上支柱１７の自重により上支柱１７を傾斜部３５で案内して下支柱の一側面側に寄せている。【選択図】    図１
2004248858.tif 000002
【特許請求の範囲】
【請求項１】
下支柱と、下支柱の内部に下端が挿入される上支柱と、下支柱と上支柱との連結具とを備え、下支柱には一側面に係合孔が形成されており、上支柱は一側面に上下方向に間隔をあけて複数の位置調節孔が形成されており、連結具は下支柱の外面に装着するブラケットと、ブラケットを下支柱に止める係止部材とを有し、ブラケットは下支柱の係合孔及び上支柱の位置調節孔に挿通して上支柱を受ける嵌合突部を有しており、嵌合突部は先端側が上方に向けて傾斜する傾斜部を有し、上支柱の自重により上支柱を傾斜部で案内して下支柱の一側面側に寄せていることを特徴とする支柱装置。
【請求項２】
係止部材はネジであり、ブラケットは水平方向に長い長孔を有し長孔に挿通したネジの頭でブラケットを下支柱に固定しており、ブラケットを水平方向にスライドすることにより、嵌合突部が下支柱の係合孔及び上支柱の位置調節孔に脱着自在としてあることを特徴とする請求項１に記載の支柱装置。
【請求項３】
係止部材は、ブラケットの上下に跨って下支柱に取り付けてあり、ブラケットは係止部材に案内されて水平方向にスライド自在としてあることを特徴とする請求項１に記載の支柱装置。
【請求項４】
下支柱には、嵌合部材が位置調節孔の上端縁を受けているときに位置調節孔の下端縁と略一致する嵌合孔が形成されており、位置調節孔と嵌合孔とに略Ｌ字形状のリベットを挿通して上支柱と下支柱とを止めていることを特徴とする請求項１〜３のいずれかに記載の支柱装置。
【請求項５】
下支柱と、下支柱の内部に下端が挿入される上支柱と、下支柱と上支柱との連結具とを備え、下支柱には一側面に設けられた係合孔と一側面に対向する他側面に設けられたボルト挿通孔が形成されており、上支柱は一側面に上下方向に間隔をあけて設けた複数の位置調節孔と他側面に設けた係止部とを備え、連結具は下支柱の外面に装着するブラケットと、止め具とを備え、ブラケットはその一側に上支柱の位置調節孔及び下支柱の係合孔に嵌合する嵌合突部を備え、他側に止め具の挿通孔が形成してあり、嵌合突部は受け部の先端側が上方に向けて傾斜する傾斜部を備え、下支柱の一側で嵌合突部が上支柱の位置調節孔に嵌合して上支柱を受け、下支柱の他側で止め具が上支柱の係止部に係止していることを特徴とする支柱装置。
【請求項６】
下支柱と、下支柱の内部に下端が挿入される上支柱と、下支柱と上支柱との連結具とを備え、下支柱には、一側面に設けられた係合孔と一側面に対向する他側面に設けられた一方の軸部材挿通孔が形成されており、上支柱は一側面に上下方向に間隔をあけて設けられた複数の位置調節孔と他側面に設けた他方の軸部材挿通孔とを備え、連結具は下支柱の外面に装着するブラケットと、軸部材と、軸部材を付勢するスプリングとを備え、ブラケットはその一側に上支柱の位置調節孔及び下支柱の係合孔に嵌合する嵌合突部を備え、他側に軸部材が挿通してあり、嵌合突部は受け部の先端側が上方に向けて傾斜する傾斜部を備え、スプリングは軸部材とブラケットとに係合してその付勢力により軸部材を上支柱の内側に挿入する方向に向けて付勢しており、下支柱の一側で嵌合突部が上支柱の位置調節孔に嵌合して上支柱を受け、下支柱の他側で軸部材の先端が下支柱と上支柱との軸部材挿通孔に挿通していることを特徴とする支柱装置。
【請求項７】
請求項１〜６のいずれかに記載の支柱装置を備え、上支柱は上端が天板に固定され、下支柱は下端が台座に固定されていることを特徴とする商品陳列台。
【発明の詳細な説明】
【０００１】
【発明の属する技術分野】
本発明は、支柱の長さを調節可能な支柱装置及びその支柱装置を用いた商品陳列台に関する。
【０００２】
【従来の技術】
この種の商品陳列台として、上支柱と下支柱とから構成されて支柱の高さを調節可能な商品陳列台が公知である。
【０００３】
例えば、特許文献１には、上支柱の上下方向に位置調節孔が複数形成されて、下支柱に形成されているネジ孔にボルトを螺進して、ボルトの先端を位置調節孔に係止することにより、位置調節したい任意の位置で下支柱に上支柱を固定する技術が開示されている。
【０００４】
また、特許文献２には、スプリングの付勢力で嵌合突部をスライドさせて上支柱の位置調節孔と下支柱の係合孔に差し込んで、下支柱に上支柱を固定する技術が開示されている。
【０００５】
【特許文献１】
実開平６−８４９３１号公報
【特許文献２】
特開平９−２２４７９１号公報
【０００６】
【発明が解決しようとする課題】
しかし、特許文献１の技術では、上支柱を所定の位置で下支柱に固定する場合、下支柱のネジ孔にボルトを螺合して、上支柱を上下させて位置決めした後、下支柱にボルトを螺進してボルト先端を下支柱の位置調節孔に係止するが、上支柱は重量のある天板を支持しているので、ボルトの先端が位置調節孔に係止するまで、重い天板を支えながらネジ留め作業をするか、全体を寝かせて作業をしなければならず、位置調節に手間がかかるという問題がある。
【０００７】
また、ボルトの締め付けがあまいと、ボルト先端と位置調節孔との係止が外れるおそれがあるため、ボルトを強く締め付けるのでボルトの締め付け作業に手間がかかるとともに、強く締め付けすぎると次の位置調節をするときにボルトが外れ難くなるという問題がある。
【０００８】
特許文献２では、嵌合突部をスライドさせて、嵌合突部を上支柱と下支柱との係止孔に差し込むが、上支柱と下支柱の片側にのみ嵌合突部を差し込むだけなので、上支柱が下支柱に対してがたつくおそれがある。
【０００９】
本発明は、上述した事情に鑑みなされたもので、手間がかからずに位置調節ができ且つがたつきを防止できる支柱装置及び商品陳列台の提供を目的とする。
【００１０】
【課題を解決するための手段】
上記目的を達成するために、請求項１に記載の発明は、下支柱と、下支柱の内部に下端が挿入される上支柱と、下支柱と上支柱との連結具とを備え、下支柱には一側面に係合孔が形成されており、上支柱は一側面に上下方向に間隔をあけて複数の位置調節孔が形成されており、連結具は下支柱の外面に装着するブラケットと、ブラケットを下支柱に止める係止部材とを有し、ブラケットは下支柱の係合孔及び上支柱の位置調節孔に挿通して上支柱を受ける嵌合突部を有しており、嵌合突部は先端側が上方に向けて傾斜する傾斜部を有し、上支柱の自重により上支柱を傾斜部で案内して下支柱の一側面側に寄せていることを特徴とする。
【００１１】
この請求項１に記載の発明では、支柱高さの位置調節をする場合には、下支柱に対して上支柱を少し上方に持ち上げて、下支柱の係合孔と上支柱の位置調節孔とを一致させた後、嵌合部を上支柱の位置調節孔と下支柱の係合孔から引き抜く。次に、上支柱を上下動させて位置調節し、その位置で下支柱の係合孔と上支柱の位置調節孔とにブラケットの嵌合突部を挿入して嵌合する。そして、上支柱から手を離して自由状態にすると、上支柱の自重により、上支柱の位置調節孔の上端縁が嵌合突部の傾斜部に沿って下降し、上支柱が下支柱の片側一側面側に寄る。下支柱の外面に配置したブラケットの嵌合突部が上支柱を受けるので、下支柱に対して上支柱が仮止めされ、仮に手を離しても下支柱が落下することはない。
【００１２】
本発明では、下支柱に装着したブラケットの嵌合突部を下支柱の係合孔と上支柱の位置調節孔に挿通するだけで、容易に任意の高さで固定することができる。
【００１３】
嵌合突部に傾斜部を設けているので、上支柱がその自重により下支柱の一側に寄せるから、従来のようなボルトによる締め付け作業を行うことなく、容易に上支柱と下支柱とのがたつきを防止できる。
【００１４】
連結具は、ブラケットと係止部材とで構成されているので、容易に且つ安価に製造することができる。また、連結具は簡単な構成であるから、壊れにくく強度が高い。
【００１５】
請求項２に記載の発明は、請求項１に記載の発明において、係止部材はネジであり、ブラケットは水平方向に長い長孔を有し長孔に挿通したネジの頭でブラケットを下支柱に固定しており、ブラケットを水平方向にスライドすることにより、嵌合突部が下支柱の係合孔及び上支柱の位置調節孔に脱着自在としてあることを特徴とする。
【００１６】
この請求項２に記載の発明によれば、請求項１に記載の発明と同様な作用効果を奏するとともに、支柱の高さを調節するときには、ブラケットを水平方向にスライドさせることにより嵌合部材の脱着ができるので、高さ調節がワンタッチで容易にできる。
【００１７】
請求項３に記載の発明は、請求項１に記載の発明において、係止部材は、ブラケットの上下に跨って下支柱に取り付けてあり、ブラケットは係止部材に案内されて水平方向にスライド自在としてあることを特徴とする。
【００１８】
この請求項３に記載の発明は、請求項１に記載の発明と同様な作用効果を奏するとともに、支柱の高さを変えるときには、係止部材を取り付けたままブラケットを水平方向にスライドさせることにより嵌合部材の脱着ができ、高さ調節がワンタッチで容易にできる。
【００１９】
請求項４に記載の発明は、請求項１〜３のいずれかに記載の発明において、下支柱には、嵌合部材が位置調節孔の上端縁を受けているときに位置調節孔の下端縁と略一致する嵌合孔が形成されており、位置調節孔と嵌合孔とに略Ｌ字形状のリベットを挿通して上支柱と下支柱とを止めていることを特徴とすることを特徴とする。
【００２０】
この請求項４に記載の発明では、請求項１〜３のいずれかに記載に記載の発明と同様な作用効果を奏するとともに、リベットは下支柱の嵌合孔と上支柱にある位置調節孔の下端縁に嵌合しているから、上支柱を持ち上げたときに嵌合部材が位置調節孔から脱落するのを防止できる。また、上支柱を持ち上げると下支柱も一緒に持ち上がる為、移動し易い。
【００２１】
請求項５に記載の発明は、下支柱と、下支柱の内部に下端が挿入される上支柱と、下支柱と上支柱との連結具とを備え、下支柱には一側面に設けられた係合孔と一側面に対向する他側面に設けられたボルト挿通孔が形成されており、上支柱は一側面に上下方向に間隔をあけて設けた複数の位置調節孔と他側面に設けた係止部とを備え、連結具は下支柱の外面に装着するブラケットと、止め具とを備え、ブラケットはその一側に上支柱の位置調節孔及び下支柱の係合孔に嵌合する嵌合突部を備え、他側に止め具の挿通孔が形成してあり、嵌合突部は受け部の先端側が上方に向けて傾斜する傾斜部を備え、下支柱の一側で嵌合突部が上支柱の位置調節孔に嵌合して上支柱を受け、下支柱の他側で止め具が上支柱の係止部に係止していることを特徴とする。
【００２２】
この請求項５に記載の発明では、支柱高さの位置調節をする場合には、下支柱に対して上支柱を少し上方に持ち上げて、下支柱の係合孔と上支柱の位置調節孔とを一致させた後、嵌合部を上支柱の位置調節孔と下支柱の係合孔から引き抜く。次に、上支柱を上下動させて位置調節し、その位置で下支柱の係合孔と上支柱の位置調節孔とにブラケットの嵌合突部を挿入して嵌合する。これにより、下支柱の一側では、嵌合突部が上支柱を受けるので、下支柱に対して上支柱が仮止めされ、仮に手を離しても下支柱が落下することはない。
【００２３】
仮止めした状態のまま、ブラケットに螺合した止めボルトを螺進して、止めボルトの先端を下支柱のボルト挿通孔に通して、下支柱の係止部に突き当てて更に止めボルトを螺進する。これにより、下支柱の他側では止めボルトの先端が上支柱の係止部に係合する。
【００２４】
本発明では、下支柱の互いに対向する両側で、ブラケットの嵌合突部と止めボルトの先端とが上支柱を係止しているので、上支柱を下支柱に確実に固定できる。
【００２５】
止めボルトの螺進作業は、ブラケットの嵌合突部により上支柱を仮止めしたままでき、上支柱を押えている必要がないので位置調節作業に手間がかからない。
【００２６】
ブラケットの嵌合突部は上支柱の係合孔と下支柱の位置調節孔とに貫通して上支柱を受けているので、仮止め状態及び位置調節後において、上支柱の落下のおそれがない。
【００２７】
止めボルトの螺進により上支柱は嵌合突部側に押し付けられて下支柱に密着するので、上支柱のがたつきを防止できる。
【００２８】
連結具は、ブラケットとボルトとで構成されるので、容易に且つ安価に製造することができる。
【００２９】
嵌合部材は、受け部の先端側が上方に向けて傾斜する傾斜部を備えているので、上支柱を自由状態にするとその自重により位置調節孔の上端縁が嵌合突部の傾斜面に沿って案内され、上支柱は下支柱の一側面側に寄るので、下支柱に対する上支柱のがたつきを防止できる。
【００３０】
請求項６に記載の発明は、下支柱と、下支柱の内部に下端が挿入される上支柱と、下支柱と上支柱との連結具とを備え、下支柱には、一側面に設けられた係合孔と一側面に対向する他側面に設けられた一方の軸部材挿通孔が形成されており、上支柱は一側面に上下方向に間隔をあけて設けられた複数の位置調節孔と他側面に設けた他方の軸部材挿通孔とを備え、連結具は下支柱の外面に装着するブラケットと、軸部材と、軸部材を付勢するスプリングとを備え、ブラケットはその一側に上支柱の位置調節孔及び下支柱の係合孔に嵌合する嵌合突部を備え、他側に軸部材が挿通してあり、嵌合突部は受け部の先端側が上方に向けて傾斜する傾斜部を備え、スプリングは軸部材とブラケットとに係合してその付勢力により軸部材を上支柱の内側に挿入する方向に向けて付勢しており、下支柱の一側で嵌合突部が上支柱の位置調節孔に嵌合して上支柱を受け、下支柱の他側で軸部材の先端が下支柱と上支柱との軸部材挿通孔に挿通していることを特徴とする。
【００３１】
この請求項６に記載の発明では、請求項５に記載の止めボルトに変えて、軸部材とこれを付勢するスプリングとで構成しているので、軸部材をスプリングの付勢力に抗して引いてブラケットを下支柱の外側に配置し、下支柱に対して上支柱の位置を調節したところで、ブラケットの嵌合突部を下支柱の係合孔と上支柱の位置調節孔とに嵌合する。次に、軸部材の引きを解除すると、スプリングの付勢力で軸部材の先端は下支柱の軸部材挿通孔から上支柱の軸部材挿通孔に挿通する。
【００３２】
この請求項６に記載の発明では、スプリングの付勢力を利用しているので軸部材の螺進作業（ねじ込み作業）が必要なく、上支柱に対して下支柱の固定がワンタッチで簡単にできる。
【００３３】
また、請求項５に記載の発明と同様に、仮止め状態及び位置調節後にブラケットの嵌合突部は上支柱と下支柱とに嵌合して上支柱を受けているので、上支柱の落下のおそれがなく、確実に固定できる。また、上支柱は対向する両側で、ブラケットの嵌合突部と止めボルトの先端とが上支柱を係止しているので、上支柱を下支柱に確実に固定できる。
【００３４】
嵌合部材が、受け部の先端側が上方に向けて傾斜する傾斜部を備えているので、上支柱を自由状態にするとその自重により位置調節孔の上端縁が嵌合突部の傾斜面に沿って案内され、上支柱は下支柱の一側面側に寄るので、下支柱に対する上支柱のがたつきを防止できる。
【００３５】
請求項７に記載の発明は、請求項１〜６のいずれかに記載の支柱装置を備え、上支柱は上端が天板に固定され、下支柱は下端が台座に固定されていることを特徴とする商品陳列台である。
【００３６】
この請求項７に記載の発明では、請求項１〜６のいずれかに記載の発明と同様な作用効果を奏する商品陳列台を提供できる。
【００３７】
特に、商品陳列台では上支柱には重量のある天板が設けられているので、かかる重量を受けた支柱を支えながら連結具の取り付けをする必要がなく、陳列台の位置調節が容易である。また、天板の重量が重い場合にも、位置調節作業中に突然天板が落下するのを防止でき、安全に作業ができる。
【００３８】
【発明の実施の形態】
以下に、添付図面の図１〜図５を参照して本発明の第１実施の形態を詳細に説明する。図１は第１実施の形態にかかる支柱の図であり、（ａ）は縦断面図、（ｂ）は背面図、（ｃ）は側面図であり、図２は図１に示す支柱の横断面図であり、図３は図１に示す支柱の正面図であり、図４は図１に示す支柱を用いた商品陳列台の側面図であり、図５は図４に示す商品陳列台の正面図である。
【００３９】
本実施の形態にかかる商品陳列台１は、台座３と、天板５と、台座３と天板５との間に設けた支柱７，７とから構成されており、支柱７、７の高さが調節できるようになっている。
【００４０】
台座３は台座フレーム９の内側に棚板１１が設けてあり、天板５と棚板１１とに商品が陳列できるようになっている。
【００４１】
支柱７，７は、台座フレーム９に固定された下支柱１５と、天板フレーム６に固定された上支柱１７とから構成されており、下支柱１５と上支柱１７とは連結具１９により任意の高さに調節されて固定されている。下支柱１５は横断面が矩形であり、上支柱１７は横断面が略コ字形状であり、下支柱１５の上部内側に上支柱の下端が挿入されている。尚、下支柱１５と、上支柱１７と、連結具１９とで高さ調節自在な支柱装置２０が構成されている。
【００４２】
下支柱１５には、その上端部の一側面に後述する嵌合突部２５の係合孔２１、２１が上下３箇所に形成されており、一側面の隣の他側面に係止孔（ネジ孔）２２が形成されており、係止孔２２は上下に２つづつ設けられている。また、係合孔２１、２１間には嵌合孔４６が形成されており、この嵌合孔４６は、下記する嵌合突部２５が位置調節孔２３に係止した状態で下記する位置調節孔２３の下端縁２３ｂに略一致する位置に設けてあり、嵌合孔４６と位置調節孔２３とにＬ字形状のリベット４８が挿通されている。
【００４３】
上支柱１７には、下支柱の係合孔２１、２１、２１側の面に、位置調節孔２３が上下方向に間隔をあけて列状に複数形成されている。
【００４４】
連結具１９は、ブラケット２９と、係止部材２７とから構成されており、係止部材２７は本実施の形態ではネジである。尚、本実施の形態では、頭が平らなネジを用いており、目立たないので外観がよい。また、連結具１９は、単一部材（モノコック）で構成されているので、強度が高くでき、壊れ難い。
【００４５】
ブラケット２９には一側に略鉤状の嵌合突部２５が上下に３つ設けられている。嵌合突部２５は、上支柱１７の位置調節孔２３を受ける略水平な受け部３３と受け部３３に連続して先端側を上側に傾斜した傾斜部３５とが設けられている。
【００４６】
ブラケット２９の他側には、係止部材２７が挿通される長孔３７が形成されている。
【００４７】
本実施の形態では、一方と他方の支柱７、７において、連結具１９を互いに反対側を向くように取り付けており、即ち、一方の支柱７では嵌合突部２５が商品陳列台の正面側に位置し、他方の支柱７では背面側に位置して取り付けている。一方と他方の支柱７、７において各連結具１９は同一のものを用いており、兼用可能とすることで部品の製造コストの低減が図られている。
【００４８】
次に、本実施の形態にかかる商品陳列台の作用について説明する。商品陳列台１の天板５の高さを調整する場合には、まず、リベット４８を外す。リベット４８は指等により容易に引き抜くことができる。次に、図１に示す状態から天板５を少し上方に持ち上げて、下支柱１５に対して上支柱１７を上方に移動し、下支柱１５の係合孔２１と上支柱１７の位置調節孔２３とを一致させたところで、ブラケット２９の嵌合突部２５を水平移動して位置調節孔２３及び係合孔２１から外す。
【００４９】
そして、天板５を持って上支柱１７を上下に移動して下支柱１５に対して、上支柱１７を任意の位置に位置決めする。所定位置に位置決めしたところで、下支柱１５の係合孔２１と上支柱１７の位置調節孔２３とを一致させるように微調整し、下支柱１５の外側に配置した連結具１９のブラケット２９を水平移動して、下支柱１５の係合孔２１と上支柱１７の位置調節孔２３とにブラケット２９の嵌合突部２５を挿入して嵌合する。これにより、下支柱１５に対して上支柱１７がブラケット２９の嵌合突部２５に受け止められるので、そのまま天板５を放して下支柱１７を少し下方に降ろす。すると、嵌合突部２５の傾斜部３５に当接している上支柱１７の位置調節孔２３の上端縁２３ａが、天板５と上支柱１７の自重により傾斜部３５の傾斜に沿って下方に移動し、傾斜部３５の傾斜に沿って上支柱１７が下支柱１５に寄せられて密着する。これにより、下支柱１５に対する上支柱１７のがたつきを防止できる。
【００５０】
最後に、リベット４８を下支柱１５の嵌合孔４６から位置調節孔２３に挿通し、リベット４８は位置調節孔２３の下端縁２３ｂに係止する。
【００５１】
本実施の形態では、支柱の高さ調節をするときに、ボルトやネジの締め付け作業が不要であり、ブラケットのスライドだけで位置調節できるので位置調節作業が容易にできる。
【００５２】
また、商品陳列台１を移動するときに、天板５や上支柱１７を持って持ち上げた場合に、リベット４８により下支柱１５も上支柱とともに持ち上がるので、嵌合突部２５が脱落するのを防止できる。
【００５３】
連結具１９は支柱７から脱着が容易なため、支柱から連結具１９を外して商品陳列台１の梱包をすることにより、支柱７に突部がないので梱包を簡素化できる。
【００５４】
以下、本発明の他の実施の形態について説明するが、以下の説明において、上述した第１実施の形態と同一の作用効果を奏する部分には、同一の符号を付することによりその部分の詳細な説明を省略し、第１実施の形態と異なる点を主に説明する。
【００５５】
図６〜図８を参照して本発明の第２実施の形態を説明する。図６は第２実施の形態にかかる商品陳列台の支柱を示す図であり、（ａ）は縦断面図、（ｂ）は背面図、（ｃ）は側面図であり、図７は図６に示す支柱の横断面図であり、図８は図１に示す支柱の正面図である。
【００５６】
第２実施の形態では、第１実施の形態におけるブラケット２９にスライド用の摘み５１を設けているとともに、係止部材２７はブラケット２９の上下に跨って設け、ネジ５３で下支１５柱に固定してあり、ブラケット２９は下支柱１５と係止部材２７との間に挟まれて、水平方向にスライド自在になっている。摘み５１は、係止部材２７よりも外側に突設しており、ブラケット２９の抜けを防止している。
【００５７】
この第２実施の形態によっても上述した第１実施の形態と同様な作用効果を得ることができる。
【００５８】
図９及び図１０を参照して第３実施の形態を説明する。図９は第３実施の形態にかかる商品陳列台の支柱を示す図であり、（ａ）は縦断面図、（ｂ）は背面図、（ｃ）は側面図であり、図１０は商品陳列台の斜視図である。
【００５９】
下支柱１５には、その上端部の一側面に後述する嵌合突部２５の係合孔２１、２１が上下２箇所に形成されており、一側面に対向する他側面にボルト挿通孔２４が形成されており、挿通孔２４は上下の係合孔２１、２１の略中央に対応する位置にある。
【００６０】
上支柱１７には、下支柱１５の挿通孔２４側の面にボルトの係止部３１が上下方向に間隔をあけて列状に複数形成されている。尚、本実施の形態では、係止部３１は止めボルト（係止部材）２７の先端２７ａ（後述する）が係止する孔である。
【００６１】
連結具１９は、横断面が略コ字形状に形成されたブラケット２９と、止めボルト２７とから構成されている。
【００６２】
ブラケット２９には一側に嵌合突部２５が上下に２つ設けられており、ブラケット２９の他側には、止めボルト２７が螺合するネジ孔３７が形成されている。
【００６３】
次に、第３実施の形態にかかる商品陳列台の作用について説明する。商品陳列台１の天板５の高さを調整する場合には、図９に示す状態から止めボルト２７を緩めた後、天板５を少し上方に持ち上げて、下支柱１５に対して上支柱１７を上方に移動し、下支柱１５の係合孔２１と上支柱の位置調節孔２３とを一致させたところで、ブラケット２９の嵌合突部２５を水平移動して位置調節孔２３及び係合孔２１から外す。
【００６４】
そして、天板５を持って上支柱１７を上下に移動して下支柱１５に対して、上支柱１７を任意の位置に位置決めする。所定位置に位置決めしたところで、下支柱１５の係合孔２１と上支柱１７の位置調節孔２３とを一致させるように微調整し、下支柱１５の外側に配置した連結具１９のブラケット２９を水平移動して、下支柱１５の係合孔２１と上支柱１７の位置調節孔２３とにブラケット２９の嵌合突部２５を挿入して嵌合する。これにより、下支柱１５に対して上支柱１７がブラケット２９の嵌合突部２５に受け止められるので、そのまま天板５を放して下支柱１７を少し下方に降ろす。すると、嵌合突部２５の傾斜部３５に当接している上支柱１７の位置調節孔２３が、天板５と上支柱１７の自重により傾斜部３５の傾斜に沿って下方に移動し、受け部３３に当接して、仮止め状態になる。この仮止め状態では、上支柱１７は下支柱１５の一側（係合孔２１側）に寄せられることになる。
【００６５】
そして、仮止め状態のまま、ブラケット２９の他側から止めボルト２７を螺進して、止めボルト２７の先端２７ａを下支柱１５の挿通孔２４に通して、上支柱１７の係止部３１に突き当てて、更に止めボルト２７を螺進する。これにより、止めボルト２７の先端２７ａが上支柱１７の係止部３１に係合するので、上支柱１７は、嵌合突部２５と止めボルトの先端２７ａとで、下支柱１５の両側から固定される。上支柱１７は嵌合突部２５と止めボルト２７との両方で係合により支えられるので、位置調節後（又は組立て後）に上支柱１７の落下を確実に防止でき、安全である。
【００６６】
また、上支柱１７が嵌合突部に受け止められるときに、傾斜部３５の傾斜に沿って上支柱１７が下支柱１５に寄せられて密着するので、下支柱１５に対する上支柱１７のがたつきを防止できる。
【００６７】
止めボルト２７の螺進は、下支柱１５を上支柱１７に仮止めした状態でできるので、重量のある天板５を支えている必要がなく、位置調節作業が容易にできる。
【００６８】
次に、図１１を参照して本発明の第４実施の形態について説明する。図１１は支柱装置２０の縦断面図である。第４実施の形態では、第３実施の形態における止めボルト２７に換えて、シリンダ４２と、シリンダ４２内を移動自在に設けた軸部材４３と、軸部材４３を付勢するスプリング４１とを設けるとともに、ブラケット２９にはネジ孔に換えて軸部材４３を挿通する挿通孔４５が形成されている。スプリング４１は伸び方向に付勢されており、一端が軸部材４３に固定され、他端が軸部材４３を摺動可能な栓４４を介してブラケット２９に当接されている。
【００６９】
この第４実施の形態において、支柱７の高さ調整をする場合には、軸部材４３をスプリング４１の付勢力に抗して引き、軸部材４３の先端４３ａを上支柱１７の挿通孔６２と下支柱１５の挿通孔６４から引き抜き、天板５を持って上支柱１７を上方に引き上げて、下支柱１５の係合孔２１と上支柱１７の位置調節孔２３とを一致させて、嵌合突部２５を水平移動して外す。
【００７０】
次に、天板５を上下に移動して上下方向の位置を調節し、所定の位置で下支柱１５の係合孔２１と上支柱１７の位置調節孔２３とを一致させ、ブラケット２９の嵌合突部２５を下支柱１５の係合孔２１と上支柱１７の位置調節孔２３とに通すとともに、軸部材４３をスプリング４１の付勢力に順じて放し、軸部材４３の先端４３ａを挿通孔４５を介して、下支柱１５の挿通孔６４と上支柱１７の挿通孔６２とに挿通する。
【００７１】
この第４実施の形態によれば、シリンダ４２に対して軸部材４３をスプリング４１の付勢力に抗して引いて、ブラケット２９の嵌合突部２５を下支柱１５の係合孔２１と上支柱１７の位置調節孔２３とに通すだけで、ネジ締め作業が必要なく、ワンタッチで下支柱１５に上支柱１７を固定することができる。
【００７２】
本発明は、上述した実施の形態に限定されず、本発明の要旨を逸脱しない範囲で種々変形可能である。
【００７３】
支柱装置２０は商品陳列台１に設けることに限らず、棚や足場を構成する支柱等に用いるものであってもよい。
【００７４】
止めボルト２７又は軸部材４３の先端４３ａが当接する係止部３１は、孔に限らず、上支柱１７の外面に形成された凹部であってもよい。
【００７５】
支柱７の高さ調節は、天板５に商品を載せたまま上支柱１７の高さ調節するものであってもよい。この場合にも、上述した実施の形態と同様な作用効果を奏することができる。
【００７６】
【発明の効果】
請求項１に記載の本発明では、下支柱に装着したブラケットの嵌合突部を下支柱の係合孔と上支柱の位置調節孔に挿通するだけで、容易に任意の高さで固定することができる。
【００７７】
嵌合突部に傾斜部を設けているので、上支柱がその自重により下支柱の一側に寄せるから、従来のようなボルトによる締め付け作業を行うことなく、容易に上支柱と下支柱とのがたつきを防止できる。
【００７８】
連結具は、ブラケットと係止部材とで構成されているので、容易に且つ安価に製造することができる。また、連結具は簡単な構成であるから、壊れにくく強度が高い。
【００７９】
請求項２に記載の発明によれば、請求項１に記載の発明と同様な効果を奏するとともに、支柱の高さを変えるときには、ブラケットを水平方向にスライドさせることにより嵌合部材の脱着ができるので、高さ調節がワンタッチで容易にできる。
【００８０】
請求項３に記載の発明は、請求項１に記載の発明と同様な効果を奏するとともに、支柱の高さを変えるときには、係止部材を取り付けたままブラケットを水平方向にスライドさせることにより嵌合部材の脱着ができ、高さ調節がワンタッチで容易にできる。
【００８１】
請求項４に記載の発明では、請求項１〜３のいずれかに記載に記載の発明と同様な効果を奏するとともに、リベットは下支柱の嵌合孔と上支柱にある位置調節孔の下端縁に嵌合しているから、上支柱を持ち上げたときに嵌合部材が位置調節孔から脱落するのを防止できる。また、上支柱を持ち上げると下支柱も一緒に持ち上がる為、移動し易い。
【００８２】
請求項５に記載の発明によれば、上支柱と下支柱とは互いに対向する両側でブラケットの嵌合突部と止めボルトの先端とが上支柱を係止しているので、上支柱を下支柱に確実に固定できる。
【００８３】
止めボルトの螺進作業は、ブラケットの嵌合突部により上支柱を仮止めしたままでき、上支柱を支えている必要がないので位置調節作業に手間がかからない。
【００８４】
ブラケットの嵌合突部は上支柱の係合孔と下支柱の位置調節孔とに貫通して上支柱を受けているので、仮止め状態及び位置調節後において、上支柱の落下のおそれがない。
【００８５】
止めボルトの螺進により上支柱は嵌合突部側に押し付けられて上支柱が下支柱に密着するので、上支柱のがたつきを防止できる。
【００８６】
連結具は、ブラケットとボルトとで構成されるので容易に且つ安価に製造することができる。
【００８７】
嵌合突部は傾斜面に上支柱の位置調節孔が当接した場合に、上支柱は傾斜面に沿って受け部に案内されるので、上支柱は自重により確実に下支柱の片側に寄せるので、下支柱に対する上支柱のがたつきを防止できる。また、連結具は簡単な構成であるから、壊れにくく強度が高い。
【００８８】
請求項６に記載の発明によれば、スプリングの付勢力を利用しているので軸部材のねじ込み作業が必要なく、上支柱と下支柱の固定がワンタッチで簡単にできる。
【００８９】
また、請求項５に記載の発明と同様に、仮止め状態及び位置調節後にブラケットの嵌合突部は上支柱と下支柱とに嵌合して上支柱を受けているので、上支柱の落下のおそれがない。更に、上支柱と下支柱とは対向する両側面で係止されるので、確実に固定できる。
【００９０】
嵌合突部は傾斜面に上支柱の位置調節孔が当接した場合に、上支柱は傾斜面に沿って受け部に案内されるので、上支柱は自重により確実に下支柱の片側に寄せるので、下支柱に対する上支柱のがたつきを防止できる。
【００９１】
請求項７に記載の発明によれば、請求項１〜６のいずれかに記載に記載の発明と同様な効果を奏する商品陳列台を提供できる。
【００９２】
特に、上支柱に重量のある天板が設けられた商品陳列台では、かかる重量を受けた上支柱を支えながら連結具の取り付けをする必要がなく、陳列台の位置調節が容易である。また、天板の重量が重い場合にも、位置調節作業中に突然天板が落下するのを防止でき、安全に作業ができる。
【図面の簡単な説明】
【図１】第１実施の形態にかかる支柱の図であり、（ａ）は縦断面図、（ｂ）は背面図、（ｃ）は側面図である。
【図２】図１に示す支柱の横断面図である。
【図３】図１に示す支柱の正面図である。
【図４】第１実施の形態にかかる商品陳列台の側面図である。
【図５】図４に示す商品陳列台の正面図である。
【図６】第２実施の形態にかかる商品陳列台の支柱を示す図であり、（ａ）は縦断面図、（ｂ）は背面図、（ｃ）は側面図である。
【図７】図６に示す支柱の横断面図である。
【図８】図１に示す支柱の正面図である。
【図９】図１２に示す支柱の図であり、（ａ）は正面図、（Ｂ）は縦断面図、（ｃ）は背面図である。
【図１０】第３実施の形態にかかる陳列台の斜視図である。
【図１１】第４実施の形態にかかる支柱装置の縦断面図である。
【符号の説明】
１      商品陳列台
３      台座
５      天板
１５    下支柱
１７    上支柱
１９    連結具
２０    支柱装置
２１    係合孔
２２    係止孔（ネジ孔）
２３    位置調節孔
２３ａ  上端縁
２３ｂ  下端縁
２４    挿通孔
２５    嵌合突部
２７    係止部材（止めボルト）
２９    ブラケット
３１    係止部
３５    傾斜部
４１    スプリング
４３    軸部材
４５    挿通孔
４６    嵌合孔
４８    リベット
【図１】
2004248858.tif 000003
【図２】
2004248858.tif 000004
【図３】
2004248858.tif 000005
【図４】
2004248858.tif 000006
【図５】
2004248858.tif 000007
【図６】
2004248858.tif 000008
【図７】
2004248858.tif 000009
【図８】
2004248858.tif 000010
【図９】
2004248858.tif 000011
【図１０】
2004248858.tif 000012
【図１１】
2004248858.tif 000013